(57)【要約】【課題】  ＣＤ、ＭＤ等の光情報記録媒体を収納するカートリッジのさらなる薄型化、小型化が可能なディスク用カートリッジを提供する。【解決手段】  本発明のディスク用カートリッジは、下カートリッジ部材１１と上カートリッジ部材１２を組み合わせ固定してカートリッジ本体１３とし、このカートリッジ本体１３の内部を光ディスク５収納用の収納部１４とし、上カートリッジ部材１２の光ディスク５を覆う部分を金属板３３とし、この金属板３３の中央部に、クランパー１５が進入可能なように、このクランパー１５より大径の穴３５を形成したことを特徴とする。【選択図】  図２
2005038529.tif 000002
【特許請求の範囲】
【請求項１】
２つの平板状のカートリッジ部材を組み合わせてなるカートリッジ本体の内部に情報記録媒体を収納してなるディスク用カートリッジであって、
前記２つのカートリッジ部材のうちいずれか一方のカートリッジ部材の少なくとも前記情報記録媒体を覆う部分を金属板により構成してなることを特徴とするディスク用カートリッジ。
【請求項２】
前記情報記録媒体に吸着部材を設け、前記いずれか一方のカートリッジ部材に前記吸着部材が進入可能な穴を形成してなることを特徴とする請求項１記載のディスク用カートリッジ。
【請求項３】
前記吸着部材は、磁性体からなることを特徴とする請求項２記載のディスク用カートリッジ。
【請求項４】
前記２つのカートリッジ部材のいずれか一方に、記録・再生時に、これら２つのカートリッジ部材を相互に固定し、それ以外の場合に、これら２つのカートリッジ部材を相互に取り外し可能とする着脱部材を設けてなることを特徴とする請求項１、２または３記載のディスク用カートリッジ。
【請求項５】
前記着脱部材は、前記金属板の周縁部に形成されたつめ部であり、当該つめ部は、記録防止スイッチを動作させることで、記録・再生時にいずれか他方の前記カートリッジ部材に固定され、それ以外の場合にいずれか他方の前記カートリッジ部材に対して取り外し可能とされることを特徴とする請求項４記載のディスク用カートリッジ。
【請求項６】
前記２つのカートリッジ部材は、いずれか一方がいずれか他方に対して着脱可能とされていることを特徴とする請求項１、２または３記載のディスク用カートリッジ。
【請求項７】
前記カートリッジを収納する収納部を有し、かつ該収納部に前記カートリッジ内の情報記録媒体を押圧し該情報記録媒体を所定位置に保持する弾性部材を設けたケースを備えてなることを特徴とする請求項１ないし６のいずれか１項記載のディスク用カートリッジ。
【発明の詳細な説明】
【技術分野】
【０００１】
本発明は、ディスク用カートリッジに関し、特に詳しくは、レンズの開口数（ＮＡ：numerical Aperture）が０．６を超える高ＮＡのレンズと４００ｎｍ帯域の短波長の光を用いて高密度の記録・再生を行う光情報記録・再生装置に好適に用いられ、コンパクトディスク（ＣＤ）、ミニディスク（ＭＤ）等の光情報記録媒体を収納するカートリッジのさらなる薄型化が可能なディスク用カートリッジに関するものである。
【背景技術】
【０００２】
近年、ＤＶＤ（デジタル・ヴァーサタイル・ディスク）等の光ディスク（光情報記録媒体）、あるいは、より小型かつ薄厚の次世代光ディスクにおいては、レーザ光源として４０５ｎｍの波長の青紫色レーザダイオード（ＬＤ）を用い、このレーザ光を光ディスクの記録面に集光させるための対物レンズとしてＮＡが０．６を超える対物レンズを用いた光ディスクシステムにより、大容量の情報の記録・再生が可能になっている。例えば、ＮＡが０．８５の対物レンズを用いた場合では、２０ＧＢ以上の大容量の情報の記録・再生が可能である。
ところで、ＮＡが０．８５の対物レンズと青紫色レーザダイオード（ＬＤ）を用いた光ディスクシステムにおいては、光ディスクの保護層の厚みが非常に薄いために、光ディスクの表面の汚れによるデータエラーが発生し易くなる。そこで、光ディスクをディスク用カートリッジに収納することにより、光ディスクの表面を保護するとともに、表面の汚れに起因するデータエラーの発生を防止している。
【０００３】
このディスク用カートリッジとしては、既に、様々な構造のものが提案され実用に供されている。例えば、合成樹脂を射出成形してなる上ハーフ及び下ハーフからなる上下部材で光ディスクを挟み込み、下ハーフあるいは上下双方のハーフの開口部を金属製のシャッター板で開閉自在とした構造のものが提案されている（例えば、特許文献１参照）。このディスク用カートリッジでは、シャッター板を開放した際に、光ディスクにレーザ光を集光させ、情報の記録・再生を行うようになっている。
また、薄型化したディスク用カートリッジとしては、合成樹脂を射出成形してなる２枚のハーフのどちらか一方を、他方より１．５倍以上厚くし、厚くしたハーフにディスク収納部を設けた構造のものも提案されている（例えば、特許文献２参照）。これらのカートリッジでは、光ディスクをターンテーブルに吸着固定するためのクランパー（吸着用の部材）を設けた構造もある。
【特許文献１】実開昭６０−６００８１号公報
【特許文献２】特開平５−２２５７４２号公報
【０００４】
図１４は、従来のクランパー付きディスク用カートリッジの一例を示す断面図であり、図において、符号１は、平板状の下カートリッジ部材、２は平板状の上カートリッジ部材であり、下カートリッジ部材１と上カートリッジ部材２を貼り合わせることによりカートリッジ本体３が構成される。
また、４はカートリッジ本体３内部に形成される収納部、５は収納部４に収納される光ディスク（情報記録媒体）、６は光ディスク５をターンテーブル（図示せず）に固定するためのクランパー（吸着部材）、７はターンテーブルを挿入するための開口である。
【０００５】
このカートリッジでは、クランパー６により光ディスク５をターンテーブルに固定し、カートリッジ本体３をホルダ（図示せず）によりターンテーブル側に押し下げることにより、光ディスク５をカートリッジ本体３から離間させ、ターンテーブルの軸心を中心に回転するようになっている。
【発明の開示】
【発明が解決しようとする課題】
【０００６】
ところで、従来のクランパー付きディスク用カートリッジでは、光ディスクドライブのスペースがカートリッジにより占有されてしまうために、小型化、薄型化が難しいという問題点があった。
また、光ディスク５に設けたクランパー６が光ディスク５の上面よりも高くなってしまうために、光ディスク５と収納部４の上面との間のクリアランスｔを十分とることができず、そこで、このクリアランスｔを十分とろうとすると、収納部４を上下方向に広げざるを得ず、したがって、カートリッジ本体３の厚みが厚くなってしまい、カートリッジの薄型化を妨げる要因になっている。
特に、２枚のハーフを用いた構造のカートリッジは、確かに薄型化に適した構造ではあるが、ハーフを合成樹脂の射出成形により作製しているために、広い面積のハーフを薄厚化することが難しいという問題点があった。
【０００７】
本発明は、上記の事情に鑑みてなされたものであって、コンパクトディスク（ＣＤ）、ミニディスク（ＭＤ）等の光情報記録媒体を収納するカートリッジのさらなる薄型化、小型化が可能なディスク用カートリッジを提供することを目的とする。
【課題を解決するための手段】
【０００８】
上記課題を解決するために、本発明は次のようなディスク用カートリッジを提供した。
すなわち、本発明のディスク用カートリッジは、２つの平板状のカートリッジ部材を組み合わせてなるカートリッジ本体の内部に情報記録媒体を収納してなるディスク用カートリッジであって、前記２つのカートリッジ部材のうちいずれか一方のカートリッジ部材の少なくとも前記情報記録媒体を覆う部分を金属板により構成してなることを特徴とする。
【０００９】
このディスク用カートリッジでは、前記２つのカートリッジ部材のうちいずれか一方のカートリッジ部材の少なくとも前記情報記録媒体を覆う部分を金属板により構成したことにより、情報記録媒体の上面とディスク用カートリッジの内部とのクリアランスを大きくとることが可能になり、この情報記録媒体を固定した際の該情報記録媒体の位置をより高い位置に設定可能となる。
また、この金属板は、合成樹脂を射出成形した場合よりも薄型化が実現可能である。
【００１０】
前記情報記録媒体に吸着部材を設け、前記いずれか一方のカートリッジ部材に前記吸着部材が進入可能な穴を形成してなることを特徴とする。
この吸着部材は、磁性体が好ましい。
【００１１】
このディスク用カートリッジでは、カートリッジ部材は、単に情報記録媒体をカートリッジから出てしまわない様に抑えているだけのものであるから、このカートリッジ部材に吸着部材を進入可能とする穴を形成しても問題は無い。これにより、吸着部材はカートリッジ部材側に進出することとなり、情報記録媒体の上面とカートリッジ部材とを、さらに近接させることが可能となる。
【００１２】
前記２つのカートリッジ部材のいずれか一方に、記録・再生時に、これら２つのカートリッジ部材を相互に固定し、それ以外の場合に、これら２つのカートリッジ部材を相互に取り外し可能とする着脱部材を設けてなることを特徴とする。
【００１３】
通常用いられるディスク用カートリッジでは、使用者の不注意による光ディスクの保護層への指紋等の付着による汚染や傷付けを回避することは可能であるが、微細な埃の進入を防止することはできない。したがって、この様な埃がカートリッジ内に進入した場合、記録・再生エラーを生じる虞がある。
【００１４】
このディスク用カートリッジでは、前記２つのカートリッジ部材のいずれか一方に着脱部材を設けたことにより、記録・再生時以外の場合に、これら２つのカートリッジ部材を相互に取り外すことで、内部に収納された情報記録媒体の一主面を露出させることが可能となり、この情報記録媒体の一主面を容易に清浄化することが可能になる。これにより、埃等に起因する情報記録媒体の記録・再生エラーが無くなる。
【００１５】
前記着脱部材は、前記金属板の周縁部に形成されたつめ部であり、当該つめ部は、記録防止スイッチを動作させることで、記録・再生時にいずれか他方の前記カートリッジ部材に固定され、それ以外の場合にいずれか他方の前記カートリッジ部材に対して取り外し可能とされることを特徴とする。
【００１６】
このディスク用カートリッジでは、前記着脱部材を、前記金属板の周縁部に形成されたつめ部とし、記録防止スイッチにカートリッジ部材の固定機能及び取り外し機能を持たせることで、部品点数を増加させることなく、カートリッジ部材の着脱を容易に行うことが可能となる。
【００１７】
前記２つのカートリッジ部材は、いずれか一方がいずれか他方に対して着脱可能とされていることを特徴とする。
このディスク用カートリッジでは、２つのカートリッジ部材のいずれか一方をいずれか他方に対して着脱可能とすることにより、これら２つのカートリッジ部材を相互に取り外すことで、内部に収納された情報記録媒体の一主面を露出させることが可能となり、この情報記録媒体の一主面を容易に清浄化することが可能になる。これにより、埃等に起因する情報記録媒体の記録・再生エラーが無くなる。
【００１８】
前記カートリッジを収納する収納部を有し、かつ前記収納部に前記カートリッジ内の情報記録媒体を押圧し該情報記録媒体を所定位置に保持する弾性部材を設けケースを備えてなることを特徴とする。
【００１９】
このディスク用カートリッジでは、ケースの収納部に前記カートリッジを収納することにより、この収納部に設けられた弾性部材が該カートリッジ内の情報記録媒体を押圧し該情報記録媒体を所定位置に保持する。これにより、携帯もしくは搬送等の際に、情報記録媒体はカートリッジと接触する虞が無くなり、情報記録媒体の一主面に傷が付く虞も無くなる。
【発明の効果】
【００２０】
本発明のディスク用カートリッジによれば、前記２つのカートリッジ部材のうちいずれか一方のカートリッジ部材の少なくとも前記情報記録媒体を覆う部分を金属板により構成したので、情報記録媒体の上面とディスク用カートリッジの内部とのクリアランスを大きくとることができ、情報記録媒体を固定した際の該情報記録媒体の位置をより高い位置に設定することができる。
【００２１】
また、前記情報記録媒体に吸着部材を設け、前記いずれか一方のカートリッジ部材に前記吸着部材が外方に突出可能な穴を形成したので、前記吸着部材をカートリッジ部材から外方に突出させることができ、情報記録媒体の上面とカートリッジ部材とを、さらに近接させることができる。
【００２２】
また、前記２つのカートリッジ部材のいずれか一方に、記録・再生時に、これら２つのカートリッジ部材を相互に固定し、それ以外の場合に、これら２つのカートリッジ部材を相互に取り外し可能とする着脱部材を設けたので、記録・再生時以外の場合に、これら２つのカートリッジ部材を相互に取り外すことで、内部に収納された情報記録媒体の一主面を露出させることができ、この情報記録媒体の一主面を容易に清浄化することができる。したがって、埃等に起因する情報記録媒体の記録・再生エラーを防止することができる。
【００２３】
また、前記着脱部材を、前記金属板の周縁部に形成されたつめ部とし、当該つめ部を、記録防止スイッチを動作させることで、記録・再生時にいずれか他方の前記カートリッジ部材に固定され、それ以外の場合にいずれか他方の前記カートリッジ部材に対して取り外し可能としたので、記録防止スイッチにカートリッジ部材の固定機能及び取り外し機能を持たせることで、部品点数を増加させることなく、カートリッジ部材の着脱を容易に行うことができる。
【００２４】
また、前記２つのカートリッジ部材のいずれか一方をいずれか他方に対して着脱可能としたので、これら２つのカートリッジ部材を相互に取り外すことで、内部に収納された情報記録媒体の一主面を露出させることができ、この情報記録媒体の一主面を容易に清浄化することができる。したがって、埃等に起因する情報記録媒体の記録・再生エラーを防止することができる。
【００２５】
また、前記カートリッジを収納する収納部を有し、かつ前記収納部に前記カートリッジ内の情報記録媒体を押圧し該情報記録媒体を所定位置に保持する弾性部材を設けたケースを備えたので、携帯もしくは搬送等の際に、情報記録媒体がカートリッジに接触するのを防止することができ、情報記録媒体の一主面に傷が付くのを防止することができる。
【発明を実施するための最良の形態】
【００２６】
本発明のディスク用カートリッジの各実施例について、図面に基づき説明する。
なお、係る各実施例は、本発明の実施態様を示すものであり、本発明はこれらの実施態様に限定されるものではなく、本発明の技術的思想の範囲内で任意に変更可能である。
【実施例１】
【００２７】
図１は、本発明の実施例１のクランパー付きディスク用カートリッジ（以下、単にカートリッジと称する）を示す平面図、図２は、図１のＡ−Ａ線に沿う断面図、図３は、このカートリッジを構成要素毎に分解した平面図である。
なお、図１は、実際に目視した場合に他の構成要素に隠れてしまう構成要素の位置関係を明らかにするために、各々の構成要素を実線で表したものであり、実際に目視した場合の図とは異なる。
【００２８】
図において、符号１０はカートリッジであり、平板状の下カートリッジ部材１１と平板状の上カートリッジ部材１２を組み合わせ固定することにより、カートリッジ本体１３が構成され、このカートリッジ本体１３内の空間部は光ディスク（情報記録媒体）５を収納するための収納部１４とされ、この収納部１４に収納される光ディスク５の中心部には、この光ディスク５をターンテーブル（図示せず）に固定するためのクランパー（吸着部材）１５が設けられている。
【００２９】
下カートリッジ部材１１は、合成樹脂からなる平面視略正方形状のもので、その中央部から一端部に向かって、ターンテーブルの挿入及び光源からのレーザ光を入射するための略Ｌ字状の開口部２１が形成され、この開口部２１には、開閉するためのシャッター２２が摺動自在に設けられ、この開口部２１の周囲には、シャッター２２用のスプリング２３及び記録防止スイッチ２４が設けられ、さらに、シャッター２２の先端部２２ａを一方向に案内するための溝２５及び位置決め用の穴２６が形成されている。このシャッター２２は、上端部に設けられた案内部材２２ｂを下カートリッジ部材１１の一端部に沿って移動させることにより、開口部２１を開状態または閉状態とするようになっている。
【００３０】
上カートリッジ部材１２は、下カートリッジ部材１１と同一形状の合成樹脂からなる平面視略正方形状のもので、その中央部には光ディスク５より僅かに大径の円形状の開口部３１が形成され、この開口部３１の内周面の上端には円環状かつ断面矩形状の切欠部３２が形成され、この切欠部３２には、光ディスク５より大径の円形状の金属板３３が嵌め込まれ、この金属板３３により光ディスク５が覆われるようになっている。この開口部３１の周囲には、カートリッジをドライブに位置決めするための穴３４が形成されている。
【００３１】
この金属板３３としては、ステンレス鋼板、圧延鋼板のいずれかが好適に用いられる。
この金属板３３の中央部には、クランパー１５が進入可能なように、このクランパー１５より大径の穴３５が形成されている。
このクランパー１５は、Ｆｅ、Ｃｏ、Ｎｉ、Ｃｒ等の磁性材料を主成分とする磁性体により構成され、ターンテーブルから発生する磁力線によりターンテーブル側に引き付けられることで、このクランパー１５が設けられた光ディスク５をターンテーブルに吸着固定するようになっている。
【００３２】
このカートリッジ１０は、図２及び図３に示すように、下カートリッジ部材１１の穴２６、２６に上カートリッジ部材１２の穴３４、３４を合わせることで相互の位置合わせを行うと同時に、下カートリッジ部材１１と上カートリッジ部材１２を互いに組み合わせて固定し、カートリッジ本体１３とする。
次いで、このカートリッジ本体１３の収納部１４に光ディスク５を収納し、上カートリッジ部材１２の切欠部３２に金属板３３を嵌め込み、シャッター２２の先端部２２ａを溝２５に挿入するとともに案内部材２２ｂを下カートリッジ部材１１の一端部に取り付けることにより得られる。
【００３３】
このカートリッジ１０は、図４及び図５に示すケースに収納される。
このケース４１は、合成樹脂からなる一対の平板状のケース部材を互いに貼り合わせて筐体４２としたもので、この筐体４２の一端面はカートリッジ１０が挿入できるように全面が開放された開口部４２ａとされ、他端面はカートリッジ１０の外方への飛び出しを阻止できるように中央部のみが開放された開口部４２ｂとされ、この筐体４２の内部空間がカートリッジを収納する収納部４３とされている。
この筐体４２の互いに対向する主面各々の中央部には、スリット４４により主要部が分離された弾性部（材）４５、４５が互いに対向する様に形成されている。
【００３４】
これら弾性部４５、４５は、円板の中央部に収納部４３内に突出する突部４６ａが形成された押圧部４６と、この押圧部４６の一端を筐体４２に接続する片持ち梁４７とにより構成されている。
これら弾性部４５、４５は、カートリッジ１０を開口部４２ａ側から収納部４３に収納した際に、図６に示すように、上側の押圧部４６の突部４６ａがカートリッジ１０内のクランパー１５を上方から押圧し、下側の押圧部４６の突部４６ａもクランパー１５を下方から押圧する。
これにより、光ディスク５は上下の押圧部４６、４６により挟まれ、下カートリッジ部材１１に触れない様に、下カートリッジ部材１１に近い位置に保持される。
【００３５】
以上説明したように、本実施例のカートリッジ１０によれば、合成樹脂からなる上カートリッジ部材１１の中央部に円形状の開口部３１を形成し、この開口部３１に光ディスク５より大径の円形状の金属板３３を嵌め込む構成としたので、光ディスク５の上面と収納部１４の上面とのクリアランスを大きくとることができ、光ディスク５をターンテーブルに固定した際の光ディスク５の位置をより高い位置に設定することができる。
【００３６】
また、光ディスク５の中央部にクランパー１５を設け、金属板３３の中央部にクランパー１５が進入可能な穴３５を形成したので、クランパー１５を上カートリッジ部材１２側に進出させることができ、光ディスク５の上面と上カートリッジ部材１２とを、さらに近接させることができる。
【００３７】
本実施例のケース４１によれば、筐体４２の互いに対向する主面各々の中央部に弾性部４５、４５を形成したので、押圧部４６によりカートリッジ１０内のクランパー１５を押圧することで、光ディスク５が上カートリッジ部材１２及び下カートリッジ部材１１に触れないように、上カートリッジ部材１２と下カートリッジ部材１１との間の所定位置に保持することができる。
したがって、携帯もしくは搬送等の際に、光ディスク５がカートリッジ１０に接触するのを防止することができ、光ディスク５の記録面に傷が付くのを防止することができる。
【実施例２】
【００３８】
図７〜図１０は、本発明の実施例２のクランパー付きディスク用カートリッジ（以下、単にカートリッジと称する）を構成する構成要素のそれぞれの要部を示す図である。ここでは、この実施例２のカートリッジが実施例１のカートリッジと異なる点のみを説明することとし、これ以外の点については、実施例１のカートリッジと全く同様であるから、説明を省略する。
【００３９】
図７は、カートリッジの金属板を示す平面図、図８は、同金属板を示す側面図であり、この金属板５１は、実施例１の金属板３３の周縁部に、外方に突出する突片からなるつめ部５２、５３が所定の間隔をおいて形成されている。
図９は、カートリッジの上カートリッジ部材を示す平面図であり、この上カートリッジ部材５４は、実施例１の上カートリッジ部材１２の切欠部３２に金属板５１のつめ部５２を挿通する穴５５が形成されている。
【００４０】
図１０は、カートリッジの下カートリッジ部材を示す平面図であり、この下カートリッジ部材５６は、実施例１の下カートリッジ部材１１の案内用の溝２５及び位置決め用の穴２６の近傍に、上記の金属板５１のつめ部５３を固定するための凹部５７が形成されている。
この下カートリッジ部材５６の１つの角部にはピン６１が立設され、このピン６１には記録防止スイッチ２４が設けられている。
【００４１】
この記録防止スイッチ２４は、多角形の板状（図１０では５角形）のコマ６２に、一方の端部が開放されたスリット６３が形成されたもので、このスリット６３をピン６１に嵌め込んだ状態で、コマ６２をピン６１の回りに回転自在かつ下カートリッジ部材５６の一辺に沿って移動可能とされている。また、この下カートリッジ部材５６には、記録禁止用の穴６４が形成されている。
例えば、ピン６１をスリット６２の奥に密着するように挿入した状態で、コマ６２をピン６１を中心に回転させれば、コマ６２が下カートリッジ部材５６に対して突出した状態（図１１）となる。
【００４２】
この状態で、下カートリッジ部材５６と上カートリッジ部材５４を互いに組み合わせて固定しカートリッジ本体とし、このカートリッジ本体の収納部に光ディスク５を収納し、上カートリッジ部材５４の切欠部３２に金属板５１を嵌め込む。
この場合、金属板５１のつめ部５２はコマ６２と並列に配置されるので、金属板５１を上カートリッジ部材５４に挿入すると、金属板５１のつめ部５２はコマ６２に対して並列配置され、コマ６２により固定されることはない。したがって、金属板５１は、カートリッジ本体に対して着脱自在となり、金属板５１の交換が容易となる。
【００４３】
また、この状態で、コマ６２をピン６１を中心に回転させれば、コマ６２が下カートリッジ部材５６に対して没した状態（図１２）となる。
この場合、金属板５１のつめ部５２はコマ６２に覆われ固定された状態となるので、金属板５１はカートリッジ本体に固定されることとなる。
この状態では、記録禁止用の穴６４はコマ６２に覆われていないので、光ディスク５への記録を行うことができる。
【００４４】
さらに、この状態で、コマ６２を下カートリッジ部材５６の一辺に沿って移動させれば、記録禁止用の穴６４がコマ６２に覆われることとなり、光ディスク５への記録を行うことはできない。したがって、光ディスク５に記録された情報の再生専用となる。
以上により、記録防止スイッチ２４のコマ６２をピン６１の回りに回転、もしくは下カートリッジ部材５６の一辺に沿って移動させることにより、金属板５１の交換、光ディスク５への記録・再生を選択することができる。
【産業上の利用可能性】
【００４５】
コンパクトディスク（ＣＤ）、ミニディスク（ＭＤ）等の光情報記録媒体を収納するカートリッジのさらなる薄型化、小型化が可能なのはもちろんのこと、より薄型化、小型化が求められる次世代光ディスク用のカートリッジに対しても適用することが可能であり、特に、次世代光ディスク用のカートリッジの場合、その効果は非常に大きなものである。
【図面の簡単な説明】
【００４６】
【図１】本発明の実施例１のクランパー付きディスク用カートリッジを示す平面図である。
【図２】図１のＡ−Ａ線に沿う断面図である。
【図３】本発明の実施例１のクランパー付きディスク用カートリッジを構成要素毎に分解した平面図である。
【図４】本発明の実施例１のケースを示す平面図である。
【図５】図４のＢ−Ｂ線に沿う断面図である。
【図６】本発明の実施例１のクランパー付きディスク用カートリッジをケースに収納した状態を示す断面図である。
【図７】本発明の実施例２のクランパー付きディスク用カートリッジの金属板を示す平面図である。
【図８】本発明の実施例２のクランパー付きディスク用カートリッジの金属板を示す側面図である。
【図９】本発明の実施例２のクランパー付きディスク用カートリッジの上カートリッジ部材を示す平面図である。
【図１０】本発明の実施例２のクランパー付きディスク用カートリッジの下カートリッジ部材を示す平面図である。
【図１１】本発明の実施例２のクランパー付きディスク用カートリッジの記録防止スイッチの動作を示す平面図であり、（ａ）は下カートリッジ部材上のコマの位置を示す平面図、（ｂ）はコマと金属板のつめ部との位置関係を示す平面図である。
【図１２】本発明の実施例２のクランパー付きディスク用カートリッジの記録防止スイッチの動作を示す平面図であり、（ａ）は下カートリッジ部材上のコマの位置を示す平面図、（ｂ）はコマと金属板のつめ部との位置関係を示す平面図である。
【図１３】本発明の実施例２のクランパー付きディスク用カートリッジの記録防止スイッチの動作を示す平面図であり、（ａ）は下カートリッジ部材上のコマの位置を示す平面図、（ｂ）はコマと金属板のつめ部との位置関係を示す平面図である。
【図１４】従来のクランパー付きディスク用カートリッジを示す断面図である。
【符号の説明】
【００４７】
５  光ディスク（情報記録媒体）
１０  カートリッジ
１１  下カートリッジ部材
１２  上カートリッジ部材
１３  カートリッジ本体
１４  収納部
１５  クランパー（吸着部材）
２１  開口部
２２  シャッター
２４  記録防止スイッチ
３１  開口部
３２  切欠部
３３  金属板
３４  穴
３５  穴
４１  ケース
４２  筐体
４３  収納部
４５  弾性部（材）
５１  金属板
５２，５３  つめ部
６１  コマ
【図１】
2005038529.tif 000003
【図２】
2005038529.tif 000004
【図３】
2005038529.tif 000005
【図４】
2005038529.tif 000006
【図５】
2005038529.tif 000007
【図６】
2005038529.tif 000008
【図７】
2005038529.tif 000009
【図８】
2005038529.tif 000010
【図９】
2005038529.tif 000011
【図１０】
2005038529.tif 000012
【図１１】
2005038529.tif 000013
【図１２】
2005038529.tif 000014
【図１３】
2005038529.tif 000015
【図１４】
2005038529.tif 000016